(57)【要約】本発明は、インテリジェント端末用の入力装置を提供する。前記入力装置は前記インテリジェント端末と通信して接続し、受けた入力操作を前記インテリジェント端末内に送信し、前記入力操作は前記インテリジェント端末のスクリーンに表示され、そして、前記入力装置は少なくとも一つの操作部分を含んでおり、前記入力装置の片端は内向きに凹んで陥凹部を形成しており、前記陥凹部は前記インテリジェント端末の頂部或は底部を受容するものであり、前記入力装置が前記インテリジェント端末に接続された時には、前記インテリジェント端末の頂部或は底部が前記陥凹部に挿入され、前記操作部分と前記インテリジェント端末のスクリーンが同じ側になるように構成され、前記インテリジェント端末のスクリーンの表示画面は前記操作部分の影像領域に露出される。上記の解決手段を実施してからは、ユーザーが同時的な前記入力装置とタッチスクリーンのインタラクティブな操作を支持する一面インストールモードが採用される。スクリーンは遮蔽されず、ユーザーはすべてのディスプレイ内容を簡単に見ることができる。本入力装置はユーザーにとって保持し運搬するうえで好都合である。
2021504821.tif 000002
【特許請求の範囲】
【請求項１】
インテリジェント端末と通信接続し、受けた入力操作を前記インテリジェント端末に送信し、前記入力操作が前記インテリジェント端末のスクリーンに表示される、インテリジェント端末用の入力装置であって、
前記入力装置は少なくとも一つの操作部を含み、
前記入力装置の片端は内向きに凹んで陥凹部となっており、前記陥凹部は前記インテリジェント端末の頂部或は底部を受容し、
前記入力装置が前記インテリジェント端末を接続ている時に、前記インテリジェント端末の頂部或は底部は前記陥凹部に挿入されており、前記操作部分と前記インテリジェント端末のスクリーンは同じ側にあるように構成され、前記インテリジェント端末のスクリーンの表示画面は前記操作部分の影像領域に露出されることを特徴とする、前記入力装置。
【請求項２】
前記陥凹部の前記インテリジェント端末のスクリーンに対向する側壁に切り欠きがあり、前記切り欠きの形状は前記インテリジェント端末のスクリーンの辺縁形状に適応したものであり、
前記入力装置が前記インテリジェント端末に接続された際には、前記切り欠きを通して前記スクリーンが露出されることを特徴とする、請求項１に記載の入力装置。
【請求項３】
前記切り欠きの形状が前記スクリーンの辺縁形状に適応する矩形であることを特徴とする、請求項2に記載の入力装置。
【請求項４】
前記入力装置が直方体であることを特徴とする、請求項1〜3のいずれか一項に記載の入力装置。
【請求項５】
前記直方体の側面に丸コーナが備わることを特徴とする、請求項4に記載の入力装置。
【請求項６】
前記操作部が、レバー、ボタン或は回転ノブのうちの一種或は多種を含むことを特徴とする、請求項1〜3のいずれか一項に記載の入力装置。
【請求項７】
前記操作部が、ポテンショメータにより構成される方向制御キーを含むことを特徴とする請求項6に記載の入力装置。
【請求項８】
前記陥凹部の側壁上に少なくとも一つの孔を備え、前記入力装置が前記インテリジェント端末と接続されている時に、前記インテリジェント端末のカメラ及びマイクは前記孔を通して露出されることを特徴とする請求項1~3のいずれか一項に記載の入力装置。
【請求項９】
前記入力装置が少なくとも二つの操作部を含み、全ての操作部が前記入力装置の同じ側に備わることを特徴とする、請求項1〜3のいずれか一項に記載の入力装置。
【請求項１０】
前記入力装置と前記インテリジェント端末とには、相互に適合した接続機構を備え、前記入力装置と前記インテリジェント端末とが前記接続機構によって固定され、
前記接続機構は、差し入れ溝、クランプ、ネジ、マグネット、ピンのうちの一種或は多種を含むことを特徴とする、請求項1〜3のいずれか一項に記載の入力装置。
【発明の詳細な説明】
【技術分野】
【０００１】
本考案は入力装置に関し、特にインテリジェント端末用の入力装置に関する。
【背景技術】
【０００２】
科学技術の進歩と経済の発展とともに、スマートフォンやタブレットPC等の映像スクリーンを有するインテリジェント端末は、益々普及しており、人々はタッチスクリーン或はインテリジェント端末上のボタンで前記インテリジェント端末とインタラクティブ操作を行うことができる。ただし、ゲームをするときのようなより複雑なインタラクティブ操作を行う時には、インテリジェント端末自身の入力装置だけに、つまり、タッチスクリーン及び限られたボタンだけに頼ってでは、インタラクティブ操作としての要求を満たし難く、手持ちでの快適性が不足であること、タッチスクリーン操作中の親指がスクリーンを遮ること、ゲーム制御の精度に偏差が現れ易いこと等の問題が存在し、ユーザーの操作体験に響く。
【０００３】
上記の問題に対して、ゲームパッドのような外部の入力装置を追加する方法が採用されており、図1、図2、図3は既存の三種の外部入力装置をそれぞれ示している。図1においては、インテリジェント端末が入力装置の内部にはめ込まれており、つまり、インテリジェント端末は入力装置と一体になり、インテリジェント端末の両端に入力装置の操作部が提供され、ユーザーは入力装置上の方向キーと機能キーでインテリジェント端末を操作する。
【０００４】
図2においては、インテリジェント端末に外付け入力装置が分離して接続され、インテリジェント端末はスクリーンの機能のみを実現し、全ての操作は外付け入力装置において完遂される。図3は、方向キーを単独に置き換えるためのレバー装置を示し、このレバー装置は、タッチスクリーンにより示すバーチャルなレバーを置き換えるためにスクリーンに直接貼り合わされ、バーチャルなレバーを実在のレバーに変える。上記の三種の入力装置には以下の問題がある：
【０００５】
１、 動作する時にスクリーンを遮る、例えば、図3に示すように、レバー装置はスクリーンを遮るかもしれず、表示内容の判断に影響する。。
２、 装置を保持することが快適でなく、例えば、図1に示すように、元のインテリジェント端末のホールドサイズを拡大し、長時間の手持ちは不快である。
３、 インタラクティブ操作は正確でなく、操作技法を全て反映させることができず、例えば、図2においては、タッチスクリーンの補助操作を行うことができない。
【発明の概要】
【発明が解決しようとする課題】
【０００６】
従来技術の欠陥を克服するために、本発明は、スクリーンを遮らない入力装置を提供し、ユーザーが入力装置及びタッチスクリーンを同時に操作することを可能にする。
【課題を解決するための手段】
【０００７】
本発明は、インテリジェント端末用の入力装置を開示し、前記入力装置は前記インテリジェント端末と通信接続し、受けたした入力操作を前記インテリジェント端末に送信し、前記インテリジェント端末のスクリーンに前記入力操作が表示され、前記入力装置は少なくとも一つの操作部を含み、前記入力装置の片端は内向きに凹んで陥凹部となっており、前記陥凹部は前記インテリジェント端末の頂部或は底部を受容し、前記入力装置が前記インテリジェント端末と接続されている時に、前記インテリジェント端末の頂部或は底部は前記陥凹部に挿入され、前記操作部分と前記インテリジェント端末のスクリーンは同じ側にあるように構成され、前記インテリジェント端末のスクリーンの表示画面は前記操作部分の影像領域に露出される。
【０００８】
好ましくは、前記陥凹部は前記インテリジェント端末のスクリーンに対向する側壁に切り欠きがあり、前記切り欠きの形状は前記インテリジェント端末のスクリーンの辺縁形状に適応したものであり、前記入力装置が前記インテリジェント端末に接続された際には、前記切り欠きを通して前記スクリーンが露出されす。
好ましくは、前記切り欠きの形状ｇは記スクリーンの辺縁形状に適応て矩形である。
好ましくは、前記入力装置は直方体である。
好ましくは、前記直方体の側面は丸められた角が備わる。
【０００９】
好ましくは、前記操作部はレバー、ボタン或は回転ノブのうちの一つ或はそれ以上を含む。
好ましくは、前記操作部はポテンショメータにより構成された方向制御キーを含む。
好ましくは、前記陥凹部の側壁上に少なくとも一つの孔を備え、前記入力装置が前記インテリジェント端末に接続された際には、前記インテリジェント端末のカメラ及びマイクは前記孔を通して露出される。
好ましくは、前記入力装置は少なくとも二つの操作部を含み、全ての操作部が前記入力装置の同じ側面に備わる。
好ましくは、前記入力装置と前記インテリジェント端末には、相互に適合した接続機構が備えられ、前記入力装置と前記インテリジェント端末とは前記接続機構を介して固定されるものであり、前記接続機構は差し入れ溝、バックル、ネジ、マグネット、ピンのうちの一種或は多種を含む。
【００１０】
本発明は、上記の技術的解決手段を採用して、以下の効果を奏する。
１、片側インストール方式を採用して、ユーザーが入力装置及びタッチスクリーンに対して同時にインタラクティブ操作を行うことを可能にする。
２、スクリーンは遮られることがなく、ユーザーが全ての表示内容を見るのに都合がよい。
３、ユーザーが保持する際、携帯する際に都合がよい。
【図面の簡単な説明】
【００１１】
【図１】図1は、従来技術における入力装置を示す。
【図２】図2は、従来技術におけるもう一種の入力装置を示す。
【図３】図3は、従来技術におけるもう一種の入力装置を示す。
【図４】図4は、本発明における一つの実施例のインテリジェント端末用の入力装置の構成概略図である。
【図５】図５は、本発明における一つの実施例のインテリジェント端末の構成概略図である。
【発明を実施するための形態】
【００１２】
添付の図面を参照して以下でさらに本発明の利点を詳細に説明する。
此処には、実施例を詳細に説明し、その実施例は図面に示される。以下の説明が図面に関して行われるが、他の説明がある場合を除き、異なる図面中における同じ数字は同じ或は相似の要素を示す。以下の実施例中において説明される態様は、本発明の全ての実施態様を意味するものではない。むしろ、それらは、従属請求項に記述される、本発明の幾つかの態様に一致する装置と方法の例示にすぎないものである。
【００１３】
本願において使用する用語は、特定の実施例を説明するためだけのものであ、本発明を限定する意図を持つものではない。本明細書および請求項に使用される単数形の「一種」や「前記」や「その」は、文脈が他の意味をはっきり示す場合を除き、多数形をも含むことを意図している。更に、ここで使用される「及び/又は」は、一つ或は複数の提示された項目の、任意或は全ての可能な組合を含むことを意図していると理解されるべきである。
【００１４】
本明細書において、第一や第二や第三等の様な用語を採用して様々な情報を説明するが、これ等の情報はそれら用語に限らないと理解されるべきである。これ等の用語は、同じ類型の情報を互いに区別するために使われているにすぎない。例えば、本願の範囲を逸脱せずに、第一情報が第二情報と呼ばれ、同様に、第二情報も第一情報と呼ばれる。文脈に応じて、例えば、ここに使用される言葉「もし・・・ならば」は、「…時」や「…際」や「に応じて」と解釈される。
【００１５】
本明細書の説明において、用語「縦」、「横」、「上」、「下」、「前」、「後」、「左」、「右」、「垂直」、「水平」、「上部」、「下部」、「内側」、「外側」等の指示方位または位置関係は、図面に基づく方位或は位置関係であり、本発明を説明するのに便利であり、説明を簡素化させるためだけのものであって、装置または要素が必ず特定の方位にし、特定の方位で構成し、操作することを示し或は暗示するためのものではないと理解される必要があり、本発明を限定するものであると理解してはならない。
【００１６】
本発明の明細書においては、用語「インストール」、「連接」、「接続」は、他の規定と限定がされていない限り、広義に理解されるべきである。例えば、機械的の接続或は電気的の接続でよく、は二つの構成要素の内部の接続でよく、直接接続であっても、又は仲介者を介する間接接続であってもよい。当業者であるならば、上記の用語の特定の意味を、特定の状況に従って理解することができる。
【００１７】
以下の説明においては、構成要素を示すのに用いる「モジュール」、「部品」または「ユニット」の様な接尾辞は、本発明の説明に便利であるからであって、それ自身に特定の意味を持たせているわけではない。そのため、「モジュール」と「部品」を混合して使用することができる。
【００１８】
本発明の実施例の一つであるインテリジェント端末１に用いる入力装置2の構造概略図である図4に示すように、前記入力装置２は前記インテリジェント端末１と通信して接続され、受けた入力操作を前記インテリジェント端末１に送信し、前記入力操作は前記インテリジェント端末1のスクリーン6に表示される。前記インテリジェント端末１は前記入力装置と接続方式はブルートゥース（登録商標）接続であってよく、接続する時ブルートゥースペアリングが必要である。
【００１９】
前記入力装置2は、次に掲げるものを含む：
- 操作部3
前記操作部3はユーザーの操作を受けるのに用いる部品であり、レバー、ボタン或は回転ノブのうちの一種或は多種であってよい。前記入力装置2には一つの操作部3のみでも、複数の操作部3でも設置することができる。前記操作部3は集中分布およびユーザーの操作を便利なものにするために前記入力装置2の同じ側面に設置する、。
【００２０】
前記入力装置2の片端は内向きに凹んで陥凹部4になり、前記陥凹部4は前記インテリジェント端末1の頂部或は底部を受容する。前記入力装置2が前記インテリジェント端末1と接続されると、前記インテリジェント端末1の頂部は前記陥凹部4に挿入され、前記操作部3と前記インテリジェント端末1のスクリーン6とは同じ側に存在し、前記インテリジェント端末1のスクリーン6の表示画面は前記操作部3の投影利領域に露出する、つまり、前記操作部3は前記スクリーン6を遮らず、ユーザーは操作中に前記スクリーン6の全てを見ることができる。
【００２１】
図4において、前記インテリジェント端末1の外形は平らな長い直方体であるので、前記陥凹部4は、該当寸法を備える長いの直方体空間として設計され、前記陥凹部4の入口の断面領域は前記インテリジェント端末1の頂点或は底部の端面の面積と等しくなる。前記インテリジェント端末1は、異なる製品メーカー及び型番に応じて様々な外形寸法を有し、前記陥凹部4は、前記インテリジェント端末1の頂部と適合する外形寸法に設計される。前記陥凹部4の深さは、前記入力装置2が前記インテリジェント端末と接続された時に前記入力装置2ががっしりと固定され、前記入力装置2の重量を印加することができることを保証するように設計されている。
【００２２】
前記入力装置2が前記インテリジェント端末1と接続されている時に、操作に都合よく、ユーザーがスクリーン6を観察しながら前記操作部3を見られるように、前記操作部3の所在する側面が前記スクリーン6と同じ側にある状態を保たれなければならない。同時に、前記陥凹部4の設計は、ユーザーの観覧に影響がないように前記スクリーン6が遮蔽されないことを保証し、例えば、前記陥凹部4の深さは、前記陥凹部4の側壁が前記スクリーン6を遮らないことを保証し、つまり、前記陥凹部4の深さは、前記スクリーン6から前記インテリジェント端末1の頂部の縁或は底部の縁までの距離以下である。
【００２３】
前記スクリーン6はタッチスクリーンであってもよく、ユーザーが、前記入力装置2を使ってインタラクティブ操作を行う時に、前記インテリジェント端末1は横位置にされ、片手で前記入力装置2を操縦し、もう片手で前記タッチスクリーンを操作して、多種の入力操作を同時に行うのを実現する。本実施態様においては、前記インテリジェント端末1の片側のみに前記入力装置2を接続するので、従来技術と比べてユーザーが操作する時の前記インテリジェント端末1の全体の寸法を低減し、ユーザーが保持するの都合がよい。
【００２４】
前記入力装置2のさらなる改善として、前記陥凹部4には前記インテリジェント端末1のスクリーン6に対応する側壁に切り欠き5を備え；前記切り欠き5の形状は前記インテリジェント端末1のスクリーン6の辺縁形状に適応したものであり；前記入力装置2が前記インテリジェント端末1に接続された時に、前記切り欠き5を通して前記スクリーンが露出する。主流であるインテリジェント端末1はしばしば細い縁の設計を採用し、前記スクリーン6から前記インテリジェント端末1の頂部の縁までの距離が短いので、前記スクリーン6を遮ることなく前記陥凹部4ががっしりと固定するという要求を満たすに足りる深度を有する、つまり、機械特性を保証するために、。、前記スクリーン6に対応する前記陥凹部4の側壁に切り欠き5を備えて、前記スクリーン6を露出させる。
【００２５】
同時に、前記インテリジェント端末1の背面（前記スクリーン6と反対側の面）及び細い側面に対応する、前記陥凹部4の三つの側面は、より多くの接触面積を提供し、機械特性を向上させるために、十分な延伸長さを有している。前記操作部3は、前記切り欠き5と同じ側面に設定され、前記スクリーン6と同側にある状態を保つ。前記切り欠き5の形状は前記スクリーン6の辺縁形状に適応し、主流となっているスクリーン6はしばしば矩形として設計されるので、前記切り欠き5もスクリーン6の寸法に適応する矩形として設計される。
【００２６】
前記入力装置2のさらなる改善として、前記入力装置2は直方体であり、その直方体の片側面に前記操作部3を配置し、操作部3に垂直な側面には前記陥凹部4の開口が備わる。前記インテリジェント端末1、とりわけスマートフォンはしばしば直方体として設計されるので、全体の視覚効果の一貫性を保つために、前記入力装置は直方体として設計される。ユーザーの手持ち感覚を向上させるために、前記直方体の側面に丸コーナが備えられ、ユーザーは前記入力装置2を握る時に快適に感じることができる。従来技術におけるのハンドルの様な形と比べて、長方形である入力装置2の外形は、前記インテリジェント端末1の外形寸法と良く合うものであり、小型化という特性が具わり、ユーザーの手持ちに都合がよい。
【００２７】
前記入力装置2のさらなる改善として、前記入力装置2が様々な操作部3、例えば、レバーとボタンの組合せ、又はボタンと回転ノブの組合せ、を提供することができ、それら操作部３のうち一種のみを配設することができる。前記操作部3としてポテンショメータにより構成された方向制御キーを含んでもよく、この様な方向制御キーは、多くの方向の操作を行うのに都合がよく、目下、外部操作装置中の主流の装置である。
【００２８】
前記入力装置2のさらなる改善として、前記陥凹部4の側壁に少なくとも一つの孔を備え、前記入力装置2が前記インテリジェント端末1と接続されている時に、前記インテリジェント端末1のカメラ及びマイクが前記孔を通して露出される。露出される必要があるインテリジェント端末1の部品の異なる位置に応じて、前記孔の穴位置も異なり、例えば、前記インテリジェント端末1の主カメラが、前記インテリジェント端末1の背面に設置されている場合、前記インテリジェント端末1の背面に対向する前記陥凹4の側壁に孔をあける必要があり、前記孔の位置は前記主カメラの位置に対向する。同様に、前記インテリジェント端末1のスクリーン側には、フロントカメラ又はマイク、或はイヤホンが具わる可能性があり、これらの機能に影響かないことを保証するために、これらも前記孔を通して露出される必要がある。
【００２９】
前記入力装置2のさらなる改善として、前記入力装置2と前記インテリジェント端末1とに適合した接続機構が提供され、前記入力装置2と前記インテリジェント端末1とは前記接続機構を介して固定され、前記接続機構は差し入れ溝、バックル、ネジ、マグネット、ピンのうちの一種或はそれらの任意の組合せを含む。前記陥凹部4の接続方式に基づいて、改善された本実施例では、前記入力装置2と前記インテリジェント端末1を接続固定して前記インテリジェント端末1が前記陥凹部4から滑り落ちるのを防止するために、前記入力装置2及び前記インテリジェント端末1に接続機構が更に追加される。前記接続機構は、少なくとも互いに適合した第一部分と第二部分とを含み、前記第一部分と第二部分は、それぞれ、前記入力装置2と前記インテリジェント端末1に設置され、前記インテリジェント端末1を前記陥凹部4に挿入する時に、前記接続機構の第一部分と第二部分は相互に固定のために契合し、前記インテリジェント端末1と前記入力装置2とはがっしりと固定される。
【００３０】
前記接続機構は、差し入れ溝、バックル、ネジ、マグネット、ピン等の実現構造であってよく、そのうちの任意の一種の構造を選択しても、二つ或は二つ以上の構造の組合せを選択して前記接続機構としてもよい。前記接続機構が差し入れ溝である時、前記インテリジェント端末1或は前記入力装置2の一方に差し入れ溝を備え、もう一方に差し入れ溝にはめ込む隆起部分を備える。前記接続機構がバックルである時には、前記インテリジェント端末1或は前記入力装置2の一方にバックルを備え、もう一方にバックルに契合するクランプ端を備える。前記接続機構がネジである時には、前記インテリジェント端末1或は前記入力装置2の一方にねじが契合するねじ穴を備え、もう一方にネジが通ることのできるネジ固定部を備える。前記接続機構がマグネットである時には、前記インテリジェント端末1或は前記入力装置2の一方にマグネットを備え、もう一方に鉄磁性金属或は磁石を備える。前記接続機構がピンである時には、前記インテリジェント端末1或は前記入力装置2の一方にピンと契合するピン穴を備え、もう片方にピンの通ることができるピン固定部を備える。
【００３１】
前記スクリーン6はタッチスクリーンであってよく、ユーザーは、前記インテリジェント端末1を水平位置に置き、一方の手で前記入力装置2を操作し、もう一方の手で前記タッチスクリーンを操作するうことができる。
本発明の実施態様にはより良い実施状態があり、上記実施例が本発明をいかなる形式でも限定する意図はないことを理解すべきである。本技術の分野に熟知する任意の当業者は、上記の開示された技術内容を利用して同一の有効な実施例に変更し或は修飾することができるが、本発明の趣旨及び範囲から逸脱しない内容であるならば、本発明の技術的本質により上記の実施例に対する任意の修正或は同様の変更及び修飾は、本発明の範囲にあることに注意を払うべきである。
【符号の説明】
【００３２】
1-インテリジェント端末、2-入力装置、3-操作部分、4-陥凹部、5-切り欠き、6-スクリーン
【図１】
2021504821.tif 000003
【図２】
2021504821.tif 000004
【図３】
2021504821.tif 000005
【図４】
2021504821.tif 000006
【図５】
2021504821.tif 000007
【国際調査報告】
2021504821.tif 000008
2021504821.tif 000009
2021504821.tif 000010
2021504821.tif 000011